(57)【要約】【課題】時計本体自体を回転させることなく、文字板上の時刻位置を所望の回転位置に設定変更することのできる指針式時計を提供する。【解決手段】周方向に沿って複数の透過窓ｈ，ｈ，…ｈが形成された文字板５と、文字板５上を運針して時刻を表示する複数の指針２〜４と、文字板５の時刻位置を表わす指標２１Ａ〜２１Ｄが形成された時字板２１と、指標２１Ａ〜２１Ｄを複数の透過窓ｈ，ｈ，…ｈのうち何れかから露出させるために時字板２１を回転させる時字板回転制御手段と、時字板回転制御手段により回転された時字板の回転角度に応じて複数の指針２〜４の位置を修正する指針修正手段とを備えている。【選択図】図２
2010032224.tif 000002
【特許請求の範囲】
【請求項１】
周方向に沿って複数の透過窓が形成された文字板と、
この文字板上を運針して時刻を表示する複数の指針と、
前記文字板の時刻位置を表わす指標を有するとともに、該指標を前記複数の透過窓の何れかから選択的に露出させるために前記文字板の裏側に回転可能に配置された時字板と、
前記指標を前記複数の透過窓のうち何れかから露出させるために前記時字板を回転させる時字板回転制御手段と、
前記時字板回転制御手段により回転された時字板の回転角度に応じて前記複数の指針の位置を修正する指針修正手段と、
を備えたことを特徴とする指針式時計。
【請求項２】
前記透過窓は、前記文字板の周縁寄りに３０度間隔で複数形成され、
前記時字板には、０時、３時、６時、９時を示す指標が設けられていることを特徴とする請求項１記載の指針式時計。
【請求項３】
外部からの操作入力を受ける操作部を備え、
前記時字板回転制御手段は、前記操作部の操作入力に応じた回転角度で前記時字板を回転させる構成であることを特徴とする請求項１記載の指針式時計。
【請求項４】
前記複数の指針は、時、分、秒をそれぞれ表示する時針、分針、秒針を含み、
さらに、
前記時針と前記分針と前記秒針をそれぞれ独立的に回転駆動可能な３個の駆動部を備え、
前記指針修正手段は、前記３個の駆動部を駆動制御して前記時針と前記分針と前記秒針の位置をそれぞれ修正する構成であることを特徴とする請求項１記載の指針式時計。
【請求項５】
前記指針修正手段は、前記時字板が回転してない標準の時刻表示の位置から、前記時字板の回転角度と同一の回転角度だけ、前記複数の指針の位置を変化させる構成であることを特徴とする請求項１記載の指針式時計。
【請求項６】
前記操作部により第１の操作入力が行われた場合に前記時字板の回転設定モードに移行し、前記操作部により第２の操作入力が行われた場合に前記時字板の回転設定モードを抜けるモード変更制御手段を備え、
前記時字板回転制御手段は、前記回転設定モードのときに前記操作部の操作入力に基づいて前記時字板を回転させる構成であり、
前記指針修正手段は、前記回転設定モードを抜けた際に前記複数の指針の位置を修正する構成であることを特徴とする請求項３記載の指針式時計。
【発明の詳細な説明】
【技術分野】
【０００１】
この発明は、複数の指針により時刻を表示する指針式時計に関する。
【背景技術】
【０００２】
複数の指針により時刻が表示される指針式時計においては、文字板の上方位置に１２時の位置が固定されるのが通常である。
【０００３】
また、従来、指針式腕時計において、時計本体を含む内部ケースを、時計バンドに固定される外部ケースに対して回転自在にした技術の提案がなされている（例えば、特許文献１）。
【特許文献１】実開昭６１−４０６８２号公報
【発明の開示】
【発明が解決しようとする課題】
【０００４】
例えば、ハンドル操作中など腕に付けている時計が常に傾いた状態となるような場合、文字板上の１２時の位置を、初期の位置から変化させて例えば２時の位置など時計の傾きに合わせた位置へ変更したいという要求が生じる場合がある。
【０００５】
また、上記特許文献１の技術のように、時計本体を外部ケースに対して回転可能な構成とした場合、ケースが二重になるため外部ケースを含めた時計全体の寸法が大きくなるといった課題や、時計本体に設けられるリューズやボタンなども時計本体の回転に伴って移動してしまうという課題が生じる。
【０００６】
この発明の目的は、時計本体自体を回転させることなく、文字板上の時刻位置を所望の回転位置に設定変更することのできる指針式時計を提供することにある。
【課題を解決するための手段】
【０００７】
上記目的を達成するため、請求項１記載の発明は、
周方向に沿って複数の透過窓が形成された文字板と、
この文字板上を運針して時刻を表示する複数の指針と、
前記文字板の時刻位置を表わす指標を有するとともに、該指標を前記複数の透過窓の何れかから選択的に露出させるために前記文字板の裏側に回転可能に配置された時字板と、
前記指標を前記複数の透過窓のうち何れかから露出させるために前記時字板を回転させる時字板回転制御手段と、
前記時字板回転制御手段により回転された時字板の回転角度に応じて前記複数の指針の位置を修正する指針修正手段と、
を備えたことを特徴とする指針式時計。
【０００８】
請求項２記載の発明は、請求項１記載の指針式時計において、
前記透過窓は、前記文字板の周縁寄りに３０度間隔で複数形成され、
前記時字板には、０時、３時、６時、９時を示す指標が設けられていることを特徴としている。
【０００９】
請求項３記載の発明は、請求項１記載の指針式時計において、
外部からの操作入力を受ける操作部を備え、
前記時字板回転制御手段は、前記操作部の操作入力に応じた回転角度で前記時字板を回転させる構成であることを特徴としている。
【００１０】
請求項４記載の発明は、請求項１記載の指針式時計において、
前記複数の指針は、時、分、秒をそれぞれ表示する時針、分針、秒針を含み、
さらに、
前記時針と前記分針と前記秒針をそれぞれ独立的に回転駆動可能な３個の駆動部を備え、
前記指針修正手段は、前記３個の駆動部を駆動制御して前記時針と前記分針と前記秒針の位置をそれぞれ修正する構成であることを特徴としている。
【００１１】
請求項５記載の発明は、請求項１記載の指針式時計において、
前記指針修正手段は、前記時字板が回転してない標準の時刻表示の位置から、前記時字板の回転角度と同一の回転角度だけ、前記複数の指針の位置を変化させる構成であることを特徴としている。
【００１２】
請求項６記載の発明は、請求項３記載の指針式時計において、
前記操作部により第１の操作入力が行われた場合に前記時字板の回転設定モードに移行し、前記操作部により第２の操作入力が行われた場合に前記時字板の回転設定モードを抜けるモード変更制御手段を備え、
前記時字板回転制御手段は、前記回転設定モードのときに前記操作部の操作入力に基づいて前記時字板を回転させる構成であり、
前記指針修正手段は、前記回転設定モードを抜けた際に前記複数の指針の位置を修正する構成であることを特徴としている。
【発明の効果】
【００１３】
本発明に従うと、時字板回転制御手段による時字板の回転と指針修正手段による複数の指針の回転位置の修正とによって、時計本体ごと回転させることなく、文字板上に設定される各時刻位置を標準の位置から回転方向に変化させることができる。
【発明を実施するための最良の形態】
【００１４】
以下、本発明の実施の形態を図面に基づいて説明する。
【００１５】
図１は、本発明の実施の形態の指針式時計１を示す正面図である。
【００１６】
この実施形態の指針式時計１は、電気的な駆動により時針２、分針３、秒針４を回転させて時刻を表示するもので、例えば、腕時計の本体となるものである。この指針式時計１は、外周部をケーシング１０と中央の風防ガラスとでそれぞれ囲まれ、この風防ガラスの内側に文字板５が設けられ、さらに、この文字板５上に時針２と分針３と秒針４とが配設された構成になっている。また、ケーシング１０の側方には、操作部として例えば４つの操作スイッチＳ１〜Ｓ４が設けられている。
【００１７】
文字板５は、円板形状の部材であり、その周縁寄りの部位に３０度間隔で透過窓ｈ，ｈ，…ｈが形成され、これら透過窓ｈ，ｈ，…ｈを介して、文字板５の裏側に配置された時字板２１の一部が露出されるようになっている。これらの透過窓ｈ，ｈ，…ｈは、貫通穴の構成としても良いし、透明板や透明レンズにより構成しても良い。また、これら透過窓ｈ，ｈ，…ｈの間には時刻の目盛り等が形成されている。
【００１８】
図２は、実施形態の指針式時計１において時字板２１を標準基準位置Ｇ０から６０度回転させた状態を表わした正面図、図３は、文字板５の裏側に回転可能に配置される時字板２１の構成を示した正面図である。
【００１９】
時字板２１は、図３に示すように、中央部分に外周円と同心円状の穴が空けられた薄く平らなリング形状の部材であり、中央の円形穴の内周面には内歯車部２１１が形成されている。そして、文字板５の裏側に回転可能に配置されて、文字板５の時刻位置を表わすようになっている。
【００２０】
時字板２１の外周部から内周部にかけた帯状の部分は、文字板５の透過窓ｈ，ｈ，…ｈの裏側に配置される部分であり、この部分に文字板５上の時刻位置を表わす指標２１Ａ〜２１Ｄが設けられている。例えば、この帯状の部分の上下左右に、９０度間隔で１２時位置を表わす指標２１Ａと、３時位置を表わす指標２１Ｂと、６時位置を表わす指標２１Ｃと、９時位置を表わす指標２１Ｄとが、例えば、印字などによりそれぞれ形成されている。これらの指標２１Ａ〜２１Ｄは、例えば、他の部分よりも濃い表示としたり、色の異なる表示等にすることで、他の部分よりも目立つようにされている。また、指標２１Ａ〜２１Ｄには、時刻位置が認識できるように時刻を表わす文字が形成されている。
【００２１】
なお、時字板２１に形成される指標は、図３の例に限定されるものではない。例えば、３０度間隔で「１」，「２」，〜「１２」の１２個の指標を設けるようにしたり、或いは、１２時位置だけに１個の指標を設けるようにしても良い。また、時刻位置を表わす文字はアラビア数字のほか、ローマ数字や漢数字を適用しても良い。また、文字をなくしてマークや記号によって時刻位置を表わすものとしても良い。
【００２２】
この実施形態の指針式時計１は、標準の状態においては、図１に示すように、指針式時計１の上方位置である標準の基準位置Ｇ０に１２時位置が設定されるようになっている。すなわち、この標準の基準位置Ｇ０にある透過窓ｈに１２時位置を表わす指標２１Ａが露出され、また、標準の基準位置Ｇ０から９０度、１８０度、２７０度ずれた透過窓ｈ，ｈ，ｈに、それぞれ時字板２１の３時と６時と９時の位置を示す指標２１Ｂ〜２１Ｄがそれぞれ露出されるように設定されている。さらに、このような標準の基準位置Ｇ０を１２時位置とした時刻配置に従って、複数の指針２〜４が計時時刻の時桁、分桁、秒桁の値をそれぞれ指し示すように駆動制御される。
【００２３】
一方、詳細は後述するが、この実施形態の指針式時計１においては、時字板２１の回転位置をユーザ操作に基づいて設定変更することが可能になっている。例えば、図２に示すように、文字板５の１２時位置となる基準位置Ｇ１を標準の基準位置Ｇ０から所定角度（図２では時計方向に６０度）ずらすことが可能になっている。すなわち、標準の基準位置Ｇ０から所定角度ずれた基準位置Ｇ１にある透過窓ｈに１２時位置を表わす指標２１Ａが露出され、また、この基準位置Ｇ１から９０度、１８０度、２７０度ずれた透過窓ｈ，ｈ，ｈに、時字板２１の３時と６時と９時の指標２１Ｂ〜２１Ｄがそれぞれ露出される設定である。
【００２４】
また、このように時字板２１の回転位置が設定変更された状態においては、設定変更後の時刻配置に従って現在の計時時刻が指し示されるように、各指針２〜４の位置も時字板２１の回転角度に応じて修正されるようになっている。例えば、図１と図２の例では各指針２〜４が互いに６０度ずつずれた配置となっているが、両方とも同時刻（例えば１０時８分３３秒）を表示した内容になっている。
【００２５】
図４には、実施形態の指針式時計１の内部構成等を表わしたブロック図を示す。
【００２６】
指針式時計１の内部には、図４に示すように、ＣＰＵ（中央演算処理装置）が搭載され装置の全体的な制御を行う制御部８０と、制御部８０により実行される制御プログラムや制御データが格納されたＲＯＭ（Read Only Memory）８２と、制御部８０に作業用のメモリ空間を提供するＲＡＭ８１と、時字板２１を輪列機構（２５〜２７）を介して独立的に回転させる第１ステップモータ２３と、制御部８０からの信号に基づいて第１ステップモータ２３をステップ駆動する駆動回路８４と、時針２と分針３と秒針４とを輪列機構（３３〜３５，４３〜４５，５３，５４）を介してそれぞれ独立的に回転させる駆動部としての第２〜第４ステップモータ３１，４１，５１と、制御部８０からの信号に基づき第２〜第４ステップモータ３１，４１，５１をそれぞれステップ駆動する駆動回路８５〜８７と、所定の周波数信号をカウントして現在時刻の計時を行う計時部８３等が設けられている。また、上述したケーシング１０の側方に設けられている４つの操作スイッチＳ１〜Ｓ４から制御部８０へ操作信号が入力されるように構成されている。
【００２７】
上記ＲＯＭ８２に格納された制御プログラムには、計時部８３の計時データに基づいて所定のタイミングで各指針２〜４の駆動回路８５〜８７に駆動指令の信号を出力して、時針２、分針３および秒針４とを回転制御していく時刻表示処理の制御プログラムや、操作スイッチＳ１〜Ｓ４を介したユーザからの操作入力に基づいて時字板２１を回転させ且つ各指針２〜４の位置修正とを行う時刻表示位置の回転設定処理の制御プログラムが含まれている。
【００２８】
上記の第１〜第４ステップモータ２３，３１，４１，５１は、例えば、磁性材料によって構成されるステータと、ステータに巻回されるコイルと、ステータに囲まれてなる貫通孔部に回転可能に配置された２極のロータ２３ａ，３１ａ，４１ａ，５１ａとを備え、ステータのコイルに駆動パルスが供給されるごとに、ロータ２３ａ，３１ａ，４１ａ，５１ａが１８０度ずつ同一方向に回転するように構成されている。
【００２９】
図５には、本実施形態の指針式時計１からケーシング１０と文字板５等をはずした内部機構の平面図を、図６には、この内部機構のうち時字板２１を駆動する部分を表わした図５の矢印Ａ−Ａ線断面図を示す。
【００３０】
図５に示すように、時字板２１は文字板５の中央位置（秒針軸５６の位置）を中心に回動可能なように機枠１０１に保持されている。そして、図６に示すように、第１ステップモータ２３のロータ２３ａの回転運動が、２つの中間車２５，２６と、日の裏車２７とを介して時字板２１に伝達されて、時字板２１が回転するように構成されている。第１ステップモータ２３のロータ２３ａが１ステップ（１８０度）回転すると、時字板２１が２度回転するように各歯車は設計されており、それにより、第１ステップモータ２３の１５ステップの駆動により時字板２１が１時間分移動し、１８０ステップの駆動により時字板２１が１回転するようになっている。
【００３１】
図７には、指針式時計１の内部機構のうち時針２を駆動する部分を表わした断面図を示す。
【００３２】
図７に示すように、第２ステップモータ３１のロータ３１ａの回転運動は、中間車３３と日の裏車３４と時針車３５を介して、時針２が固定されている時針軸３６に伝達されるようになっている。第２ステップモータ３１のロータ３１ａが１ステップ（１８０度）回転すると、時針２が２度回転するように各歯車が設計されており、それにより、第２ステップモータ３１の１５ステップの駆動により時針２が１時間分移動し、１８０ステップの駆動により時針２が１回転するようになっている。
【００３３】
図８には、指針式時計１の内部機構のうち分針３と秒針４とを駆動する部分を表わした断面図を示す。
【００３４】
図８に示すように、第３ステップモータ４１のロータ４１ａの回転運動は、中間車４３と三番車４４とを介して、分針３が固定されている分針車４５に伝達されるようになっている。第３ステップモータ４１のロータ４１ａが１ステップ（１８０度）回転すると、分針３が２度回転するように各歯車が設計されており、それにより、第３ステップモータ４１の３ステップの駆動により分針３が１分だけ移動し、１８０ステップの駆動により分針３が１回転するようになっている。
【００３５】
また、図８に示すように、第４ステップモータ５１のロータ５１ａの回転運動は、五番車５３を介して、秒針４が固定されている秒針車５４に伝達されるようになっている。第４ステップモータ５１のロータ５１ａが１ステップ（１８０度）回転すると、秒針４が６度回転するように各歯車が設計されており、それにより、第４ステップモータ５１の１ステップの駆動により秒針４が１秒分移動し、６０ステップの駆動により秒針４が１回転するようになっている。
【００３６】
次に、上記のように構成された指針式時計１の動作について説明する。
【００３７】
通常時、制御部８０は時刻表示処理のプログラムを実行しており、計時部８３の計時データに基づく適宜なタイミングで、駆動回路８５〜８７へ駆動指令の信号を出力している。例えば、秒針４に対応する駆動回路８７へは１秒に１回の駆動指令信号を出力し、分針３に対応する駆動回路８６へは２０秒に１回の駆動指令信号を出力し、時針２に対応する駆動回路８５へは４分に１回の駆動指令信号を出力する。これにより、各指針２〜４が適宜回転して各指針２〜４により計時部８３の計時時刻が常に指し示された状態となる。
【００３８】
また、制御部８０は、上記の時刻表示処理のプログラムと並行して、次に示す時刻表示位置の回転設定処理のプログラムを、例えば短い所定周期ごとに実行するようになっている。
【００３９】
図９には、制御部８０により実行される時刻表示位置の回転設定処理のフローチャートを示す。
【００４０】
時刻表示位置の回転設定処理は、ユーザ操作に基づいて文字板５上の１２時位置を示す基準位置Ｇ１（図２参照）を時計上方に設定された標準の基準位置Ｇ０から所望の角度だけ回転させることを可能とする処理である。この時刻表示位置の回転設定処理が開始されると、先ず、ステップＪ１において、制御部８０は操作スイッチＳ１〜Ｓ４の入力信号を確認して操作スイッチＳ２を２秒間押し続ける操作（第１の操作入力）があったか否かを判別する。この操作は、ユーザが時字板２１の回転設定モードへ移行するために予め定められた操作であり、このステップＪ１を実行する制御部８０によりモード変更制御手段が構成される。
【００４１】
その結果、上記操作がなければ、回転設定モードへの移行要求は無いとして、そのままこの時刻表示位置の回転設定処理を一旦終了し、次の所定周期で再びステップＪ１の処理から開始する。
【００４２】
一方、ステップＪ１の判別処理で操作ありと判別されたら、ステップＪ２に移行して時字板２１の回転設定モードに移行する。ステップＪ２では、先ず、操作スイッチＳ１〜Ｓ４の入力信号を確認して操作スイッチＳ１の操作の有無を判別し、操作がなければステップＪ５に移行して、次に、操作スイッチＳ２の操作（第２の操作入力）の有無を判別する。また、操作スイッチＳ１，Ｓ２の何れの操作もなければ、再び、ステップＪ２に戻って、何れかの操作があるまでこのステップＪ２，Ｊ５のループ処理を繰り返す。
【００４３】
その結果、操作スイッチＳ１の操作があれば時字板２１を回転させるためにステップＪ３に移行する。ステップＪ３では、時字板２１の駆動回路８４に所定個の駆動指令の信号を出力し、時字板２１を時計回りに３０度回転駆動する。このステップＪ３の処理により、文字板５の透過窓ｈ，ｈ，…ｈに露出されていた指標２１Ａ〜２１Ｄが、時計方向に３０度回転移動して、隣の透過窓ｈ，ｈ，…ｈから露出された状態となる。このステップＪ３の処理を実行する制御部８０により時字板回転制御手段が構成される。
【００４４】
時字板２１が回転移動したら、続くステップＪ４で、時字板２１の１２時位置が標準の基準位置Ｇ０（図１，図２参照）からトータルで何度回転した位置にあるかを演算してＲＡＭ８１の所定領域に記憶する。そして、再び、ステップＪ２に戻る。
【００４５】
上記のステップＪ２〜Ｊ４の処理により、ユーザは、時字板２１の回転設定モード中、操作スイッチＳ１を１回又は複数回操作することで、時字板２１を時計方向に３０度ずつ１回又は複数回回転させて、時字板２１の指標２１Ａ〜２１Ｄを回転させて所望の透過窓ｈ，ｈ，…ｈから露出した状態に設定変更することができる。さらに、時字板２１を回転させたときに、時字板２１の１２時位置が標準の基準位置Ｇ０から何度ずれた位置にあるかが記憶されるようになっている。
【００４６】
一方、ステップＪ２，Ｊ５の操作判別処理において操作スイッチＳ２の操作があったと判別された場合には、時字板２１の回転設定モードを抜けて針位置修正の処理を行うためにステップＪ６に移行する。上記ステップＪ５を実行する制御部８０によりモード変更制御手段が構成される。ステップＪ６では、ステップＪ４で記憶した時字板２１のトータルの回転角度に基づいて、時字板２１の指標２１Ａ〜２１Ｄに応じた時刻配置で時針２による時桁の値が指し示されるように、時針２の修正位置の演算と演算結果に応じた時針２の位置修正とを行う。
【００４７】
制御部８０は、例えば、ＲＡＭ８１の所定領域に各指針２〜４の現在の針位置を表わす針位置カウンタを構築しており、各指針２〜４に対応する駆動回路８５〜８７へ駆動指令の信号を出力するたびに、この針位置カウンタをカウントアップして、各指針２〜４の現在の針位置を記憶した状態にある。
【００４８】
従って、ステップＪ６の時針修正処理においては、先ず、文字板５の基準位置Ｇ１が標準の基準位置Ｇ０と重なっている場合において、現在の計時時刻に対応した時針２の針位置を算出する。次に、この算出した針位置を、ステップＪ４で記憶している時字板２１の回転角度分だけずらして目的の針位置を算出する。さらに、針位置カウンタに記憶されている現在の時針２の針位置と、上記算出した目的の針位置との差分を算出する。この差分が時針２の修正量となる。そして、時針２に対応する駆動回路８５にこの修正量に応じた駆動指令の信号を出力して時針２を回転させることで、時針２が時字板２１の回転角度に応じた位置に修正されることとなる。
【００４９】
時針２の修正が済んだら、続いて、ステップＪ７で分針３についても時字板２１の回転に伴った同様の針位置修正を行い、さらに、ステップＪ８で秒針４についても時字板２１の回転に伴った同様の針位置修正を行う。これらのステップＪ６〜Ｊ８の処理を実行する制御部８０により指針修正手段が構成される。そして、針位置修正の処理が済んだら、この時刻表示位置の回転設定処理を終了する。
【００５０】
つまり、上記ステップＪ５〜Ｊ８の処理により、ユーザが操作スイッチＳ２を操作して時字板２１の回転設定モードを抜けた場合に、新たに回転設定された時字板２１の回転角度に応じて各指針２〜４が高速に回転して針位置が修正され、それにより時字板２１の新たな時刻配置に従って各指針２〜４により現在の計時時刻が指し示されることとなる。そして、その後、制御部８０により実行される時刻表示処理によって、この修正後の針位置から各指針２〜４が時間の経過に従って適宜なタイミングて回転駆動され、それにより現在の計時時刻が各指針２〜４により常に表示された状態に制御される。
【００５１】
図１０には、本実施形態の指針式時計１において時字板２１を標準基準位置Ｇ０から回転させた状態での使用例を表わした図を示す。
【００５２】
以上のように、この実施の形態の指針式時計１によれば、ユーザか操作スイッチＳ１，Ｓ２を操作することで、時字板２１を回転させて文字板５の基準位置（１２時位置）Ｇ１を標準的な基準位置Ｇ０から３０度単位で適宜設定変更することが可能となる。例えば、図１０に示すように、指針式時計１を嵌めた腕でハンドル２００を長い時間握るなどして指針式時計１が長い時間６０度傾いた状態にされる場合において、文字板５の基準位置Ｇ１を標準の基準位置Ｇ０から６０度回転させた設定とすることで、見た目上、文字板５の１２時位置が上方位置に設定されて時刻表示の視認をし易くすることが可能となる。また、例えば、ランニング中など指針式時計１をいつも所定の傾きで視認する場合、或いは、ユーザの好みなどによって指針式時計１の基準位置Ｇ１を所定の回転角度に設定したい場合などにおいても、時字板２１の回転設定により適宜時刻表示の視認をし易くしたり、ユーザの好みに応じた表示態様を実現したりすることが可能となる。
【００５３】
また、時字板２１に設けられた１２時位置、３時位置、６時位置、９時位置の各指標２１Ａ〜２１Ｄは、時刻位置を示す文字だけでなく、他の部分より濃い色が付されるなど目立つ表示にされているので、文字板５を見たときにごく短い時間で文字板５の時刻配置を認識することができ、それにより、時刻を瞬時に視認することが可能となる。
【００５４】
また、時字板２１の回転設定は操作スイッチＳ１，Ｓ２の操作によって行われるので、ユーザの好みに応じた設定変更が可能となる。
【００５５】
また、時字板２１の回転設定モードに移行することで、操作スイッチＳ１の操作により時字板２１を回転させることが可能となり、また、回転設定モードを抜ける際に、各指針２〜４の位置修正が行われる構成により、ユーザに分かりやすく整然とした時刻表示位置の回転設定処理を実現できる。
【００５６】
また、時針２と分針３と秒針４とがそれぞれ独立して回転駆動できる構成により、各指針２〜４を時字板２１の回転角度に応じて位置修正する際に、高速な修正が可能となる。
【００５７】
なお、本発明は、上記実施形態の指針式時計１に限られるものではなく、種々の変更が可能である。例えば、上記実施形態では、文字板５に透過窓ｈ，ｈ，…ｈを３０度間隔で１２個設けた例を示したが、４５度間隔で８個設けたり、９０度間隔で４個設けるようにしても良い。また、透過窓ｈを文字板５の全周にわたって等間隔で設けた例を示したが、例えば、標準基準位置Ｇ０から９０度の範囲など、特定の角度範囲にのみ複数の透過窓ｈ，ｈ，…ｈを設けて、この範囲でのみ時刻表示位置の回転設定変更を可能とする構成としてもよい。この場合、時字板２１には１２時位置を示す１つの指標２１Ａのみを設けて、この指標２１Ａを複数の透過窓ｈ，ｈ，…ｈの何れかから露出させる構成とすれば良い。
【００５８】
また、時字板２１の操作方法も、１個の操作スイッチにより時計方向に所定角度ずつ回転させる形式だけでなく、２個の操作スイッチを用いて時計方向と反時計方向の両方向に回転可能な形式を採用しても良い。また、時字板２１を全回転可能な構成とせず、所定の角度範囲でのみ回転角度を設定変更可能とする構成を採用しても良い。
【００５９】
その他、時字板２１や各指針２〜４を回転駆動する機構構成、時字板２１の回転角度を設定変更したり針位置を時字板２１の回転角度に応じて修正する処理の制御手順など、実施の形態で示した細部構造および細部方法は、発明の趣旨を逸脱しない範囲で適宜変更可能である。
【図面の簡単な説明】
【００６０】
【図１】本発明の実施の形態の指針式時計を示す正面図である。
【図２】実施形態の指針式時計において時字板を標準基準位置から６０度回転させた状態を示す正面図である。
【図３】実施形態の指針式時計の時字板を示す平面図である。
【図４】実施形態の指針式時計の内部構成を表わしたブロック図である。
【図５】実施形態の指針式時計からケーシングと文字板等をはずした内部機構を表わした平面図である。
【図６】指針式時計の内部機構のうち時字板を駆動する部分を示した断面図である。
【図７】指針式時計の内部機構のうち時針を駆動する部分を示した断面図である。
【図８】指針式時計の内部機構のうち秒針と分針を駆動する部分を示した断面図である。
【図９】制御部により実行される時刻表示位置の回転設定処理の処理手順を示すフローチャートである。
【図１０】実施形態の指針式時計において時字板を標準基準位置から回転させた状態での一使用例を表わした図である。
【符号の説明】
【００６１】
１      指針式時計
２      時針
３      分針
４      秒針
５      文字板
ｈ      透過窓
２１    時字板
２１Ａ〜２１Ｄ  指標
８０    制御部
８１    ＲＡＭ
８２    ＲＯＭ
８３    計時部
８４〜８７  駆動回路
２３，３１，４１，５１    ステップモータ
Ｓ１〜Ｓ４    操作スイッチ
【図１】
2010032224.tif 000003
【図２】
2010032224.tif 000004
【図３】
2010032224.tif 000005
【図４】
2010032224.tif 000006
【図５】
2010032224.tif 000007
【図６】
2010032224.tif 000008
【図７】
2010032224.tif 000009
【図８】
2010032224.tif 000010
【図９】
2010032224.tif 000011
【図１０】
2010032224.tif 000012